(57)【要約】【課題】両面ユニットの開閉操作性を向上させる。【解決手段】画像形成部３とこの画像形成部３に用紙を搬送するための用紙搬送路５とを内蔵する画像形成装置本体に、画像形成後の用紙を画像形成部３に再給紙するための再給紙路２１を有する両面ユニット１８Ａと手差し給紙トレイ２８とを取り付ける。両面ユニット１８Ａを回動自在に支持する第一の支軸２７と給紙トレイ２８を両面ユニット１８Ａの回動方向と同一方向に回動自在に支持する第二の支軸３０とを両面ユニット１８Ａの下方に位置させて画像形成装置本体に設け、第二の支軸３０を第一の支軸２７の下側に位置させる。【選択図】図１
2008087968.tif 000002
【特許請求の範囲】
【請求項１】
用紙に画像を形成する画像形成部と、前記画像形成部へ用紙を搬送するための用紙搬送路と、前記用紙経路に対して前記画像形成部と反対側に設けられ、前記画像形成部で画像を形成された用紙を前記画像形成部へ搬送する再給紙路を有する両面ユニットと、前記再給紙路の前記画像形成部と反対側に設けられた手差し給紙トレイとを備えた画像形成装置において、画像形成装置本体にあって前記両面ユニットの下側に、前記両面ユニットを回動自在に回動させるための回動中心としての第一の支軸と、前記給紙トレイを前記両面ユニットの回動方向と同一方向に回動自在に回動させるための回動中心としての第二の支軸とを設け、前記第二の支軸は前記第一の支軸の下側に設けることを特徴とする画像形成装置。
【発明の詳細な説明】
【技術分野】
【０００１】
本発明は、画像形成装置に関する。
【背景技術】
【０００２】
従来、用紙の両面に画像を形成する画像形成装置には、図１２に一例を示すように、用紙を反転させるための両面ユニット１０１を本体ケース１０２の側面に後付けするタイプのものがある。この両面ユニット１０１は、両面ユニット１０１の下部に設けられた図示しない第一の支軸を回動中心として本体ケース１０２から離反する方向に回動自在である。
【０００３】
この両面ユニット１０１の下方には、手差での給紙を受け付ける手差し給紙トレイ１０３が設けられている。この手差し給紙トレイ１０３は、第二の支軸１０４を回動中心として本体ケース１０２から離反する方向へ回動自在に設けられている。
【０００４】
本体ケース１０２には、この他に給紙トレイ１０５と排紙スタッカ部１０６とが設けられている。そして、本体ケース１０２内には、給紙トレイ１０５および手差し給紙トレイ１０３から画像形成部１０７、定着部１０８を経由して排紙スタッカ部１０６に至る用紙搬送路１０９が形成されている。
【０００５】
両面ユニット１０１のケース１１０内には、この用紙搬送路１０９から分岐する反転路１１１と、反転路１１１から分岐する再給紙路１１２とが形成されている。反転路１１１と再給紙路１１２との分岐点には正逆回転自在の反転ローラ１１３が設けられている。反転路１１１の他端は、両面ユニット１０１の側面に設けられて外部に向けて開口する開口部１１４に接続されている。この開口部１１４は、反転ガイド板１１５によって塞がれている。反転ガイド板１１５は、両面ユニット１０１に設けられた支軸１１６を回動中心として両面ユニット１０１から離反する方向へ回動自在に設けられている。
【０００６】
このような構造のものでは、給紙トレイ１０５あるいは手差し給紙トレイ１０３から搬送された用紙は、用紙搬送路１０９を搬送される途中で画像形成部１０７により画像を形成されて排紙スタッカ部１０６に搬送される。用紙の両面に画像を形成する場合は、反転路１１１で反転させた用紙を再給紙路１１２に搬送し、再び用紙搬送路１０９に搬送して画像形成を行う。
【０００７】
この際に、用紙が用紙搬送路１０９中に詰まる等のジャムが発生した場合、第一の支軸を回動中心として両面ユニット１０１を本体ケース１０２から離反する方向へ回動することにより、作業スペースを設ける。そして、このスペースに手を入れてジャム紙の除去を行う。
【０００８】
ここで、反転する用紙の搬送方向の長さが反転路長より長い大サイズの用紙である場合、反転ガイド板１１５を支軸１１６を中心として回動させることによって開口部１１４を開き、反転路長より長い部分の用紙の先端を両面ユニット１０１の外へ突出させる。反転ガイド板１１５は、両面ユニット１０１から離反する方向へ開いた状態で、開口部１１４から突出した用紙を誘導する。
【発明の開示】
【発明が解決しようとする課題】
【０００９】
ところが、このような構造の画像形成装置では、手差し給紙トレイ１０３が両面ユニット１０１の側方に張り出しているため、装置近傍を通過する人が手差し給紙トレイ１０３にぶつかることがあり、これによって装置が破損してしまう場合がある。そして、装置を移送する際にも張り出した手差し給紙トレイ１０３が周囲にぶつかって装置が破損してしまう場合もある。
【００１０】
さらに、装置を移送する場合等に、振動によって手差し給紙トレイ１０３が開いてしまうことがある。この開いた手差し給紙トレイ１０３に人がぶつかり、装置が破損してしまう場合もある。
【００１１】
また、両面ユニット１０１を開く際には、先に手差し給紙トレイ１０３を開放してから両面ユニット１０１を開放する。そして、両面ユニット１０１を閉じる際にも両面ユニット１０１を閉じた後に手差し給紙トレイ１０３を閉じるという二段階の手順を踏む必要がある。つまり、手差し給紙トレイ１０３によって両面ユニット１０１の開閉が妨げられてしまうため、両面ユニット１０１を直接開閉することができず操作が煩わしいという問題がある。
【００１２】
また、反転路長より長い大サイズの用紙を反転させるために反転ガイド板１１５を開く場合、反転ガイド板１１５が装置の側方へ張り出し、広い設置スペースを必要とすることから、通常、反転ガイド板１１５は画像形成装置本体に沿うように略隆起した状態で両面ユニット１０１の側方に退避している。このため、大サイズの用紙を反転する場合には、反転ガイド板１１５を支軸１１６を回動中心として回動して開口部１１４を開く操作を行わなくてはならず、操作が煩雑になってしまうという問題がある。また、画像形成装置を操作者から離れた場所に設置して遠隔操作により使用している状態で、大サイズの用紙を反転する場合には、オペレーターはわざわざ装置が設置してある場所まで行き、反転ガイド板１１５を支軸１１６を中心として回動させて開口部１１４を開く操作を行わなくてはならず、操作が煩雑になってしまうという問題もある。この問題を解決するために遠隔操作によって反転ガイド板を開くようにする装置を設けた場合、部品点数が増加したり設置スペースが拡大してしまうという問題がある。
【課題を解決するための手段】
【００１３】
請求項１記載の発明は、用紙に画像を形成する画像形成部と、前記画像形成部へ用紙を搬送するための用紙搬送路と、前記用紙経路に対して前記画像形成部と反対側に設けられ、前記画像形成部で画像を形成された用紙を前記画像形成部へ搬送する再給紙路を有する両面ユニットと、前記再給紙路の前記画像形成部と反対側に設けられた手差し給紙トレイとを備えた画像形成装置において、画像形成装置本体にあって前記両面ユニットの下側に、前記両面ユニットを回動自在に回動させるための回動中心としての第一の支軸と、前記給紙トレイを前記両面ユニットの回動方向と同一方向に回動自在に回動させるための回動中心としての第二の支軸とを設け、前記第二の支軸は前記第一の支軸の下側に設ける。
【発明の効果】
【００１４】
本発明によれば、両面ユニットの開閉操作性を向上させることができる。
【発明を実施するための最良の形態】
【００１５】
本発明の第一の実施の形態を図１ないし図６に基づいて説明する。本実施の形態の両面ユニットは、電子写真方式の画像形成装置への適用例である。
【００１６】
このような画像形成装置は、画像形成部が内蔵された本体ケースと、この本体にオプションとして装着される両面ユニット及び手差し給紙ユニットとから構成される。
【００１７】
まず、本体ケースについて図１の画像形成装置の一部を示す縦断側面図に基づいて説明する。本体ケース１の中には、給紙トレイ２から画像形成部３、定着部４を経由して図示しない排紙スタッカ部に至る用紙搬送路５が形成されている。
【００１８】
本体ケース１の外周部には、両面ユニット取り付け面側に向けて開口する反転用紙排紙口６と再給紙口７と手差給紙口８とが設けられている。反転用紙排紙口６は、画像形成部３より用紙搬送方向下流側で用紙搬送路５から分岐して開口している。排紙スタッカ部と反転用紙排紙口６とは切替爪９によって切替自在に開放される。また、再給紙口７は画像形成部３より用紙搬送方向上流側で用紙搬送路５に接続する。
【００１９】
そして、画像形成部３の中央に位置する感光体１０の周囲には、感光体１０に一様に帯電する帯電器１１、図示しないスキャナ部で読み取った画像を図示しない露光器により感光体１０上に露光することで形成された静電潜像にトナーを付着させてトナー像を形成する現像器１２、このトナー像を搬送されてきた用紙に転写する転写器１３、感光体１０上の電荷を一掃する除電器１４および感光体１０上に残存するトナーを除去するクリーナー１５等が設けられている。
【００２０】
また、転写されたトナー像を用紙に定着させる定着部４には加圧ローラ１６と加熱ローラ１７とが設けられている。
【００２１】
次に、両面ユニット１８Ａについて説明する。両面ユニット１８Ａのケース１８は、図１に示すように本体ケース１の両面ユニットの取り付け面（右側面）側に取り付けられている。
【００２２】
ケース１８内には、反転用紙排紙口６から供給されて片面に画像が形成された用紙を反転させて再給紙口７に再給紙するための用紙反転通路１９が設けられている。この用紙反転通路１９は、反転路２０と反転路２０から分岐する再給紙路２１とから構成されている。反転路２０の一端は反転用紙供給口２０ａを介して反転用紙排紙口６に接続され、他端は開口部３９に接続されている。再給紙路２１の一端は反転路２０との分岐点に接続され、他端は再給紙用紙排紙口２１ａを介して再給紙口７に接続されている。
【００２３】
そして、反転路２０と再給紙路２１との分岐点には、反転ローラ２２と切替爪２３が設けられている。反転ローラ２２は、正逆回転自在に設けられており、反転用紙排紙口６から誘導した用紙を再給紙路２１へ搬送する。切替爪２３は、反転路２０と再給紙路２１とを切替自在に切り替える。
【００２４】
さらに、再給紙路２１には、反転された用紙を再給紙口７へ搬送する複数組の搬送ローラ２４が設けられている。
【００２５】
図２は、両面ユニット１８Ａを備える画像形成装置の一部を示す側面図である。両面ユニット１８Ａのケース１８には、紙面に対して垂直方向の両側から下方に突出するヒンジ片２５が固定的に設けられ、これらのヒンジ片２５は給紙部２６に水平に設けられた第一の支軸２７を回動中心として回動自在に取り付けられている。
【００２６】
さらに、両面ユニット１８Ａには、図２ないし図３に示すように、手差し給紙トレイ２８を収納する収納凹部２９が設けられている。図３は、両面ユニットを備える画像形成装置の一部を示す斜視図である。手差し給紙トレイ２８は、図２ないし図３（ｂ）に示すように、給紙部２６に水平に設けられた第二の支軸３０を回動中心として回動自在に設けられている。また、給紙部２６には手差し給紙トレイ２８から手差し給紙口８に用紙を案内する手差給紙通路３１が形成され、この手差給紙通路３１を間にして給紙ローラ３２と、この給紙ローラ３２に圧接されたフリクションパッド３３とが対向配置されている。そして、給紙部２６と手差し給紙トレイ２８とにより手差し給紙ユニット３４が構成されている。
【００２７】
そして、手差し給紙トレイ２８と両面ユニット１８Ａのケース１８とは、手差し給紙トレイ２８の一端部に設けられた凸部３５を収納凹部２９に設けられた凹部３６に着脱自在に係合することによって係合されている。これらの凸部３５と凹部３６により係合手段３７が構成されている。
【００２８】
この係合手段３７について、図４ないし図６Ｒ＞６に基づいて説明する。図４は係合手段３７の拡大斜視図、図５は凹部３６の拡大斜視図、図６は凹部３６と凸部３５の嵌合状態を示す水平断面図である。凹部３６は、垂直方向に延出する長孔となっている。凸部３５は、この凹部３６の一部に係合している。また、凹部３６の下端部には、手差し給紙トレイ２８を開く方向に向かうに従って次第に凹部３６の底面からの深さが浅くなる斜面３６ａが形成されている。このため、ケース１８が閉じた位置にある場合、凸部３５が斜面３６ａを乗り越えることによって容易に係合が解除される。凸部３５が斜面３６ａを乗り越える際には、凸部３５が当接する斜面３６ａあるいは収納凹部２９が凸部３５によって押され、手差し給紙トレイ２８の回動による凸部３５の移動を許容するように変形する。
【００２９】
そして、このような画像形成装置には、用紙搬送路５と反転用紙排紙口６および反転路２０と再給紙路２１との切替動作や画像形成動作等を制御する図示しない制御部が設けられている。
【００３０】
このような構成において、画像形成動作を行う場合を説明する。まず、画像形成部３では、帯電器１１により一様に帯電された感光体１０上にスキャナ部で読み取った画像に応じた露光を行う。露光することによって、感光体１０上に静電潜像が形成される。この静電潜像に電荷を付与したトナーを付着することによって、感光体１０上にトナー像を形成される。このトナー像を、給紙トレイ２あるいは手差し給紙トレイ２８からタイミング調整を行って搬送した用紙が転写器１３を通過する際にバイアスをかけることによって用紙に転写する。用紙に転写されたトナー像は、この用紙が定着部４を通過する際に加圧ローラ１６と加熱ローラ１７との間を通過することによって加圧および加熱されて用紙に定着される。
【００３１】
用紙の片面に画像を形成する場合は、定着部４を通過した用紙を排紙スタッカ部へ搬送する。
【００３２】
一方、用紙の両面に画像を形成する場合、定着部４から反転用紙排紙口６に切替爪９を切り替えて用紙を反転路２０に搬送する方向に反転ローラ２２を回転させる。この反転ローラ２２によって片面に画像が形成された用紙が反転路２０へ搬送される。この用紙の後端が切替爪２３を通過してから、切替爪２３を切り替えて反転路２０と再給紙路２１とを接続する。そして、反転路２０に搬送された用紙の後端が反転ローラ２２に当接している間に、用紙を再給紙路２１に搬送する方向に反転ローラ２２を回転させる。これにより反転路２０に搬送した用紙が反転ローラ２２によって再給紙路２１に搬送される。そして、再給紙路２１に搬送された用紙は搬送ローラ２４によって再給紙口７から用紙搬送路５に再給紙される。
【００３３】
次いで、用紙搬送路５へ搬送された用紙は、タイミング調整が行われて画像形成部３へ搬送される。画像形成部３では、先述の画像形成動作によって感光体１０上に形成した裏面用のトナー像が用紙の裏面に転写され、このトナー像が定着部４で定着される。
【００３４】
こうして両面に画像が形成された用紙は、切替爪９により用紙搬送路５を排紙スタッカ部へ切り替えておくことによって、排紙スタッカ部へ排紙される。
【００３５】
次に、手差しでの用紙に画像を形成する場合について説明する。まず、手差し給紙トレイ２８が第二の支軸３０を回動中心としてケース１８から離反する方向へ回動する。これによって、凸部３５が図５に矢印をもって示すように斜面３６ａを乗り越え、ケース１８と手差し給紙トレイ２８との係合が解除される。手差し給紙トレイ２８が所定の位置まで回動すると手差し給紙トレイ２８により塞がれていた手差給紙口８が開放され、手差し給紙トレイ２８から用紙搬送路５に接続する手差給紙通路３１が形成される。手差しでの用紙は、手差給紙通路３１から用紙搬送路５に搬送され、先述の画像形成動作によって片面あるいは両面に画像が形成されて排紙スタッカ部へ排紙される。
【００３６】
次いで、用紙搬送路５に用紙が詰まった場合の用紙除去作業について説明する。まず、ケース１８が第一の支軸２７を回動中心として本体ケース１から離反する方向へ回動する。すると、ケース１８に押されて手差し給紙トレイ２８が第二の支軸３０を回動中心として本体ケース１から離反する方向に回動する。
【００３７】
この際、ケース１８と手差し給紙トレイ２８とは回動中心が異なるため、回動することによって凸部３５と凹部３６との相対的な位置関係が変化する。つまり、図２に示すように、第一の支軸２７を回動中心としてケース１８が回動することにより、凹部３６は第一の支軸２７から凹部３６までの距離を半径とする円周上（Ａにその上端部の移動軌跡を示す）を移動する。そして、係合手段３７により係合するケース１８が第一の支軸２７を回動中心として回動することにより、凸部３５は第二の支軸３０を回動中心として第二の支軸３０から凸部３５までの距離を半径とする円周上（Ｂに凸部３５の移動軌跡を示す）を移動する。係合手段３７の凹部３６が長孔であるために、凸部３５の移動軌跡Ｂに凹部３６の移動軌跡Ａが重なる。このため、凸部３５は回動により位置変化しながら凹部３６を上方に向けて摺動し、回動によって両面ユニット１８Ａと手差し給紙トレイ２８との間に位置的なずれが生じても係合が維持される。これによって両面ユニット１８Ａと手差し給紙トレイ２８とを係合させたまま、ケース１８を本体ケース１から離反する方向に回動させて、用紙搬送路５を開放することができる。
【００３８】
そして、ケース１８が回動することにより、用紙搬送路５にスペースが形成され、オペレーターはこのスペースに手を入れてジャム紙を除去する。
【００３９】
次に、ジャム解除後にケース１８を閉じる動作について説明する。まず、ケース１８が第一の支軸２７を回動中心として本体ケース１の方向へ回動する。この際、係合手段３７によりケース１８と係合している手差し給紙トレイ２８が連動して第二の支軸３０を回動中心として本体ケース１の方向に回動する。ここで、ケース１８と手差し給紙トレイ２８とは回動中心が異なるため、回動することによって凹部３６と凸部３５との相対的な位置関係が変化する。この位置関係の変化に対して、係合手段３７では凸部３５が凹部３６を摺動して係合位置を移動させる。これによって、ケース１８と手差し給紙トレイ２８とが係合したまま連動して回動する。
【００４０】
ここで、ケース１８が閉じられている場合は、図６（ａ）に示すように凹部３６と凸部３５との係合位置は斜面３６ａ側端部にあるため凸部３５と凹部３６との着脱を容易に行うことができ、手差し給紙トレイ２８のみの回動をスムーズに行うことができる。それに対し、ケース１８が回動することによって開放されている場合、この係合位置は図６（ｂ）に示すように凹部３６の上端側に凸部３５移動しているため、凸部３５と凹部３６との係合力が強くなり、作業を行っている際に不用意に手差し給紙トレイ２８が開いてしまうことがない。
【００４１】
さらに、ジャム処理に際しては、第一の支軸２７を中心として両面ユニット１８Ａを外側に回動させる場合に、両面ユニット１８Ａを回動させる第一の支軸２７が両面ユニット１８Ａの下方であって且つ本体ケース１から離れた位置に配置されているため、両面ユニット１８Ａを外側に回動させたときに、両面ユニット１８Ａの内側の面（特に下方の面）を本体ケース１に対して大きく離反させることができる。これにより、ジャム処理を容易に行わせることができる。さらに、この第一の支軸２７の配置によれば、第一の支軸２７の軸中心よりも本体ケース１側に両面ユニット１８Ａの重心を位置させることができるため、両面ユニット１８Ａをその質量を利用して本体ケース１側にもたせかけることができる。したがって、両面ユニット１８Ａを垂直な姿勢でロックするためのロック機構（図示せず）を設ける際に、安価で簡易なロック機構を用いることができる。
【００４２】
なお、凸部３５と凹部３６とをケース１８と手差し給紙トレイ２８とで入れ替えてもよい。
【００４３】
また、第一の支軸２７と第二の支軸３０とは同じ位置に設けられていてもよい。
【００４４】
次に、本発明の実施の第二の形態を図７及び図８に基いて説明する。前記実施の形態と同一部分は同一符号を用い説明も省略する。図７は凹部の拡大斜視図、図８は凹部と凸部の嵌合状態を示す水平断面図である。
【００４５】
本実施の形態のおける画像形成装置は、本体ケース１に取り付けられた両面ユニット１８Ａと、手差し給紙ユニット３４とを備えるが、前記第一の実施の形態と異なる点は、収納凹部２９の両内側面に形成する凹部３８の形状が異なることだけである。他の構成は同一につき説明を省略する。
【００４６】
すなわち、上下方向に長孔形状の凹部３８は、下端において深さが浅い部分３８ａと、中央から上端にかけて深さが深い部分３８ｂとを有する。この例では収納凹部２９の両側面の上部を内側に突出させることで凹部３８の深さを変えている。
【００４７】
このような構成において、両面ユニット１８Ａを閉じた状態では、前述のように凸部３５は凹部３８の下端に位置する。この状態では図８（ａ）に示すように、凸部３５が凹部３８の浅い部分３８ａに嵌合するため嵌合量ｈが浅くなる。これにより、手差し給紙トレイ２８の開閉操作力を小さくすることができる。逆に、両面ユニット１８Ａを本体ケース１から離反させて開放した状態では、凸部３５は凹部３８の深い部分３８ｂに位置する。この状態では図８（ｂ）に示すように、凸部３５が凹部３８の深い部分３８ｂに嵌合するため嵌合量Ｈが深くなる。これにより、手差し給紙トレイ２８が不用意に開くことを防止できる。
【００４８】
なお、本実施の形態においても、凸部３５と凹部３８とをケース１８と手差し給紙トレイ２８とで入れ替えてもよい。
【００４９】
次に、本発明の第三の実施の形態を図９に基いて説明する。前記実施の形態と同一部分は同一符号を用い説明も省略する。本実施の形態のおける画像形成装置は、本体ケース１に取り付けられた両面ユニット１８Ａと、手差し給紙ユニット３４とを備える。両面ユニット１８Ａのケース１８は下端に開口部３９が形成された反転路２０を有する。反転ローラ２２付近から開口部３９までの反転路２０の長さは最も使用頻度の高い用紙のサイズに合わせて設定され、使用頻度の少ない大サイズの用紙の長さより短い。これは、両面ユニット１８Ａの高さを制限し、その下方に手差し給紙ユニット３４の取り付けスペースを確保するためである。
【００５０】
そして、開口部３９に対向するガイド部材４０が手差し給紙ユニット３４の給紙部２６に一体に形成されている。このガイド部材４０は、開口部３９の下方から本体ケース１の方向へ向かって深くなる切欠部４１を有し、この切欠部４１の底面は開口部３９から突出する用紙を案内する案内面４２とされている。
【００５１】
このような構成において、用紙の搬送方向の長さが反転路長より長い大サイズの用紙を反転する場合について説明する。用紙の反転経路は前記実施の形態と同様であるが、大サイズの用紙は開口部３９から突出する。この際、開口部３９が下向きに外部に向けて開口しているため、用紙は開口部３９から下方へ突出し、両面ユニット１８Ａの側方へ突出することがない。これによって、画像形成装置の設置スペースを拡大せずに常時開口部３９を開けておくことができ、煩雑な操作を行わずに種々のサイズの用紙を反転することができる。
【００５２】
そして、開口部３９から突出した用紙の先端は、開口部３９の下方に対向配置された切欠部４１に内に回り込む。切欠部４１は、開口部３９の真下から本体ケース１へ向かって深くなるように設けられ、底面が案内面４２とされているため、反転ローラ２２に搬送されて切欠部４１に回り込んだ用紙の先端を本体ケース１の方向へ案内するので、画像形成装置の設置スペースを拡大せずに種々のサイズの用紙を反転することができる。また、手差し給紙ユニット３４の給紙部２６にガイド部材４０を一体的に設けることで、部品点数を増加させずに種々のサイズの用紙を反転することができる。
【００５３】
さらに、手差し給紙トレイ２８に積層した用紙を、給紙ローラ３２とフリクションパッド３３とによって分離給送するようにして、用紙を分離するために設ける機構を小さくすることができる。
【００５４】
次に、本発明の参考例を図１０及び図１１に基いて説明する。前記実施の形態と同一部分は同一符号を用い説明も省略する。図１０は本体ケースに両面ユニットを装着した画像形成装置の一部を示す縦断側面図、図１１は両面ユニットのケースを支持するブラケットとガイド部材とを示す分解斜視図である。
【００５５】
本参考例は、手差し給紙ユニットを備えていない。そのため、ケース１８に形成された反転路２０の下端の開口部３９と対向するガイド部材４３が設けられている。このガイド部材４３には、反転路２０の長さよりも長い大サイズの用紙を用いて両面印刷する場合に反転路２０の下端から突出する用紙を下方に導く案内面４４が形成されている。この案内面４４は、図１１に示すように、ガイド部材４３に一体に形成された複数のリブ４５の上縁によって形成されている。
【００５６】
図１１において、４６は本体ケース１の両面ユニット取り付け面側にねじ４７により取り付けられるブラケットである。このブラケット４６の両側に形成された屈曲片４８の外側にはケース１８に設けたヒンジ片２５（図１０参照）を回動自在に支持するための第一の支軸２７が立設され、ブラケット４６の内面の両側には取付片４９が固定されている。そして、ガイド部材４３の上面の両側にはケース１８の両側に設けたヒンジ片２５をガイド部材４３の内側に突出させるスリット５０が形成されている。このようなガイド部材４３はねじ５１によりブラケット４６の取付片４９に取り付けられるように構成されている。なお、本参考例では、反転路２０、再給紙路２１、反転ローラ２２、切替爪２３、搬送ローラ２４等が設けられたケース１８と、ガイド部材４３と、第一の支軸２７を有するブラケット４６とにより両面ユニット１８Ｂが構成されている。
【００５７】
このような構成において、両面ユニット１８Ｂの反転路２０の長さよりも長い大サイズの用紙を用いて両面印刷をする場合には、前述のように用紙の下端が反転路２０の下端の開口部３９から突出するが、その突出した用紙をガイド部材４３の案内面４４によりケース１８の下方外側に向けて導いて揃えることができる。また、このガイド部材４３を、ケース１８を回動自在に支持するためのブラケット４６を覆う化粧部材として機能させることができる。
【００５８】
また、両面ユニット１８Ｂの開口部３９が第三の実施の形態のように本体ケース１とは反対の側面近くに配置されている場合には、開口部３９から突出する用紙を本体ケース１の側面に向けて案内するように案内面を形成してもよい。つまり、図１０の紙面において、右側から本体ケース１の側面に向かうに従い高さが低くなるようにリブを形成することにより、そのリブの上縁により案内面を形成する。
【図面の簡単な説明】
【００５９】
【図１】本発明の第一の実施の形態における両面ユニットを備えた画像形成装置の一部を示す縦断側面図である。
【図２】この画像形成装置における両面ユニットと手差し給紙トレイとの回動動作を示す側面図である。
【図３】両面ユニットを備える画像形成装置を示す斜視図の一部である。
【図４】係合手段を示す拡大斜視図である。
【図５】凹部の拡大斜視図である。
【図６】凹部と凸部の嵌合状態を示す水平断面図である。
【図７】本発明の第二の実施の形態における凹部の拡大斜視図である。
【図８】凹部と凸部の嵌合状態を示す水平断面図である。
【図９】本発明の第三の実施の形態における両面ユニットを備える画像形成装置の一部を示す縦断側面図である。
【図１０】本発明の参考例における両面ユニットを備える画像形成装置の一部を示す縦断側面図である。
【図１１】両面ユニットのケースを支持するブラケットとガイド部材とを示す分解斜視図である。
【図１２】従来の一例としての両面ユニットを備える画像形成装置の一部を示す縦断側面図である。
【符号の説明】
【００６０】
３  画像形成部
５  用紙搬送路
１８Ａ  両面ユニット
２１  再給紙路
２７  第一の支軸
２８  手差し給紙トレイ
３０  第二の支軸
【図１】
2008087968.tif 000003
【図２】
2008087968.tif 000004
【図３】
2008087968.tif 000005
【図４】
2008087968.tif 000006
【図５】
2008087968.tif 000007
【図６】
2008087968.tif 000008
【図７】
2008087968.tif 000009
【図８】
2008087968.tif 000010
【図９】
2008087968.tif 000011
【図１０】
2008087968.tif 000012
【図１１】
2008087968.tif 000013
【図１２】
2008087968.tif 000014